(57)【特許請求の範囲】
【請求項１】
底部に拡径部を有する円筒状の穴をコンクリート構造物に形成する方法において、
コンクリート構造物（２０）に上記円筒状の穴と等しい内径の下穴（２１）を形成する工程と、
上記下穴（２１）の内面と等しい外径の基部（１１）に第１駆動軸（１０）を回転自在に支承し第１駆動軸（１０）の先端部に第２駆動軸（１２）を折曲げ自在に連結するとともに第２駆動軸（１２）を折曲げ方向に付勢した拡径ドリルを用い、該拡径ドリルを上記下穴（２１）内に挿入し、上記基部（１１）を上記下穴（２１）内面に接触させて上記拡径ドリルの姿勢を保持し、上記第２駆動軸（１２）を付勢力によって第１駆動軸（１０）に対して折り曲げ、上記第２駆動軸（１２）に取付けられた拡径ビット（１３）を上記下穴（２１）の底部内面に押し付け、上記第１駆動軸（１０）を回転駆動させることによって上記下穴（２１）の底部に拡径部（２２）を形成する工程と、
を備えたことを特徴とするコンクリート構造物の穴あけ方法。
【請求項２】
底部に拡径部を有する円筒状の穴をコンクリート構造物に形成する方法において、
コンクリート構造物（２０）に上記円筒状の穴と等しい内径の下穴（２１）を形成する工程と、
先端部側壁に開口を有する上記下穴（２１）内面と等しい外径のドリル本体（３０）内に凹状カム面（３４Ａ）を有するカム（３３）と操作シャフト（３２）を内蔵する一方、上記開口に掘削ビット（３４）の一端部を回動自在に取り付けるとともに没入方向に回動付勢した拡径ドリルを用い、上記凹状カム面（３４Ａ）内に掘削ビット（３４）を収納した状態で拡径ドリルのドリル本体（３０）を上記下穴（２１）内に挿入してドリル本体（３０）の外面を上記下穴（２１）内面と接触させて上記拡径ドリルの姿勢を保持し、上記操作シャフト（３２）を回転させて上記カム（３４）によって上記掘削ビット（３４）の他端側を付勢力に抗して上記開口から突出させ、上記ドリル本体（３０）を回転駆動することによって上記掘削ビット（３４）の他端側によって上記下穴（２１）の底部に拡径部（２２）を形成する工程と、
を備えたことを特徴とするコンクリート構造物の穴あけ方法。
【発明の詳細な説明】
【技術分野】
【０００１】
本発明はコンクリート構造物の穴あけ方法に関し、特に底部に拡径部が形成された筒状の穴をコンクリート構造物にあけるようにした方法に関する。
【背景技術】
【０００２】
コンクリート構造物にドリルなどによって筒状の穴を穿設し、そこに鉄筋などのアンカー材を挿入し、グラウト材や樹脂などの後埋め材を注入し固定する補強工事が知られているが、筒状の穴の内面が平滑であると、アンカー材の固定強度が不十分となり、過大な外力が加わったときにアンカー材がコンクリート構造物から抜けるおそれがある（特許文献１）。
【０００３】
他方、地盤にあけた筒状の穴の底部に掘削ロッドを挿入し、掘削ロッド先端のヘッドに設けた拡径ビットを拡げ、掘削ロッドを回転させることによって下穴底部に拡径部を形成し、この穴にコンクリートを打設して、引き抜き抵抗の大きなコンクリート杭を形成するようにした方法が提案されている（特許文献２）。
【先行技術文献】
【特許文献】
【０００４】
【特許文献１】特開２０１２−１７７２２２号公報
【特許文献２】特開平０７−２６８８６７号公報
【発明の概要】
【発明が解決しようとする課題】
【０００５】
しかし、特許文献２記載の拡径方法はヘッドの拡径ビットを拡げ、回転させて地盤にあけた下穴底部を拡径するものであるので、これをコンクリート構造物の穴あけに適用すると、掘削ロッドの姿勢が安定せず、拡径が難しかった。
【０００６】
本発明はかかる問題点に鑑み、底部に拡径部を有する円筒状の穴をコンクリート構造物に確実にあけることができるようにしたコンクリート構造物の穴あけ方法を提供することを課題とする。
【課題を解決するための手段】
【０００７】
そこで、本発明に係るコンクリート構造物の穴あけ方法は、底部に拡径部を有する円筒状の穴をコンクリート構造物に形成する方法において、コンクリート構造物に上記円筒状の穴と等しい内径の下穴を形成する工程と、基部に第１駆動軸を回転自在に支承し第１駆動軸の先端部に第２駆動軸を折曲げ自在に連結するとともに第２駆動軸を折曲げ方向に付勢した拡径ドリルを用い、該拡径ドリルを上記下穴内に挿入し、上記基部を上記下穴内面に接触させて上記拡径ドリルの姿勢を保持し、上記第２駆動軸を付勢力によって第１駆動軸に対して折り曲げ、上記第２駆動軸に取付けられた拡径ビットを上記下穴の底部に押し付け、上記第１駆動軸を駆動させることによって上記下穴の底部に拡径部を形成する工程と、を備えたことを特徴とする。
【０００８】
本発明の特徴の１つは掘削ドリルの基部を下穴に接触させて掘削ドリルの姿勢を安定にし、その状態で下穴底部を拡径するようにした点にある。
【０００９】
これにより、地盤に比較して硬いコンクリート構造物にも、底部を拡大した穴をあけることができ、例えば穴にアンカー材を挿入して固定したときに高い引き抜き抵抗を得ることができる。
【００１０】
また、上記では拡径ドリルの基部を下穴内面に接触させるようにしたが、拡径ドリル自体を下穴内面に接触させることによって拡径ドリルの姿勢を安定させるようにしてもよい。そこで、本発明に係るコンクリート構造物の穴あけ方法は、底部に拡径部を有する円筒状の穴をコンクリート構造物に形成する方法において、コンクリート構造物に上記円筒状の穴と等しい内径の下穴を形成する工程と、先端部側壁に開口を有するドリル本体内にカムと操作シャフトを内蔵する一方、上記開口に掘削ビットを回動自在に取り付けるとともに没入方向に回動付勢した拡径ドリルを用い、該拡径ドリルを上記下穴内に挿入して上記下穴内面との接触によって上記拡径ドリルの姿勢を保持し、上記操作シャフトを操作して上記カムを回転させることによって上記掘削ビットを付勢力に抗して上記開口から突出させ、上記ドリル本体を回転駆動することによって上記下穴の底部に拡径部を形成する工程と、を備えたことを特徴とする。
【図面の簡単な説明】
【００１１】
【図１】本発明に係るコンクリート構造物の穴あけ方法の好ましい実施形態を模式的に示す図である。
【図２】上記実施形態においてあけた穴にアンカー材を固定する１例を模式的に示す図である。
【図３】図２の状態を平面から見た状態を模式的に示す図である。
【図４】第２の実施形態による穴あけ方法を模式的に示す図である。
【図５】上記実施形態において用いる拡径ドリルの先端部の側面構成を示す図である。
【図６】上記拡径ドリルの平面構成を示す図である。
【発明を実施するための形態】
【００１２】
以下、本発明を図面に示す具体例に基づいて詳細に説明する。図１ないし図３は本発明に係るコンクリート構造物の穴あけ方法の好ましい実施形態を示す。コンクリート構造物に筒状の穴をあける場合、コンクリート構造物２０に図１の（ａ）に示されるように、掘削ドリル４０などを用いて下穴２１をあける。この下穴２１は穿設すべき筒状の穴とほぼ等しい内径とする。
【００１３】
下穴２１が形成できると、図１の（ｂ）に示されるように、下穴２１内に拡径ドリルを挿入してセットする。この拡径ドリルでは、下穴２１の内面と等しい外径の基部１１に第１駆動軸１０が回転自在に挿通され、第１駆動軸１０の先端に第２駆動軸１２が折曲げ自在に連結され、第２駆動軸１２には拡径ビット１３が固定される一方、第１、第２駆動軸１０、１２の間にばね部材１４が介在されている。
【００１４】
拡径ドリルがセットできると、第２駆動軸１２をばね部材１４の付勢力によって第１駆動軸１０に対して折り曲げた状態で、拡径ビット１３を下穴２１の底部内面に押し付け、その状態で第１駆動軸１０を回転させると、拡径ビット１３が下穴２１の底部内面を掘削しながら拡径し、図１の（ｃ）に示されるように、下穴２１の底部に拡径部２２を形成することができる。
【００１５】
こうして拡径部２２を有する筒状の穴２１が得られると、例えば図２及び図３に示されるように、拡径部２２に抜け止め部材２３を投入し、抜け止め部材２３の間にアンカー材を差し込み、コンクリートを打設し、コンクリートが固化すると、アンカー材を強固に固定できる。
【００１６】
図４ないし図６は第２の実施形態を示す。コンクリート構造物に筒状の穴をあける場合、コンクリート構造物２０に図４の（ａ）に示されるように、掘削ドリル４０などを用いて下穴２１をあける。この下穴２１は穿設すべき筒状の穴とほぼ等しい内径とする。
【００１７】
下穴２１が形成できると、図４の（ｂ）に示されるように、下穴２１内に拡径ドリルを挿入してセットする。この拡径ドリルでは、図５及び図６に示されるように、ドリル本体３０が下穴２１の内面と等しい内径を有し、ドリル本体３０の先端には掘削ビット３１が固定されるとともに、ドリル本体３０の先端部側面には開口が形成され、開口には拡径ビット３４が垂直な軸３４Ａ廻りに回動可能に取付けられ、軸３４Ａにはばね部材が設けられて拡径ビット３４は没入方向に回動付勢されている。
【００１８】
また、ドリル本体３０内にカム３３と操作シャフト３２が内蔵され、カム３３には凹状のカム面３３Ａが形成され、カム面３３Ａ内には没入した拡径ビット３４が収納可能となっている。
【００１９】
拡径ドリルがセットできると、操作シャフト３２を徐々に回転操作すると、拡径ビット３４がカム面３４Ａによって押し出されて回動され、開口から突出して下穴２１の底部内面に押し付けられ、拡径ドリルが駆動されると、拡径ビット３４が下穴２１の底部内面を掘削して拡径し、下穴２１の底部に拡径部２２を形成することができる。
【００２０】
こうして拡径部２２を有する筒状の穴２１が得られると、アンカー材を差し込み、コンクリートを打設し、コンクリートが固化すると、アンカー材を強固に固定できる。
【符号の説明】
【００２１】
１０      第１駆動軸
１１      基部
１２      第２駆動軸
１３      拡径ビット
２０      コンクリート構造物
２１      下穴
２２      拡径部
３０      ドリル本体
３２      操作シャフト
３３      カム
３４      拡径ビット
【図１】
0006506538.tif 000002
【図２】
0006506538.tif 000003
【図３】
0006506538.tif 000004
【図４】
0006506538.tif 000005
【図５】
0006506538.tif 000006
【図６】
0006506538.tif 000007